(57)【要約】【課題】本発明は、押ボタンの操作性を損なうことなく、雑菌や汚れから保護するコーティング部材を施すことのできるナースコール装置の押ボタン式子機を提供する。【解決手段】押ボタン式子機１は、被看護者が看護者を呼び出す場合に使用されるナースコール装置に接続される。そして、被看護者が握る胴部２に設けられる押ボタン３と、押ボタン３を覆って胴部２との間が密封された状態で押ボタン３を操作できる柔軟性を有するキャップ４と、キャップ４の縁４ａから延びるピールテープ５と、キャップ４を胴部２に取り付けてピールテープ５を胴部２に沿わせた状態で胴部２とキャップ４とピールテープ５とを覆い、かつ、胴部２とキャップ４とピールテープ５とから膜状に剥離可能なコーティング部材８とを備える。【選択図】      図１
2005085535.tif 000002
【特許請求の範囲】
【請求項１】
被看護者が看護者を呼び出す場合に使用されるナースコール装置に接続される押ボタン式子機において、
被看護者が握る胴部に設けられる押ボタンと、
前記押ボタンを覆って前記胴部との間が密封された状態で前記押ボタンを操作できる柔軟性を有するキャップと、
前記キャップの縁から延びるピールテープと、
前記キャップを前記胴部に取り付けて前記ピールテープを前記胴部に沿わせた状態で前記キャップと前記ピールテープと前記胴部とを覆い、かつ、前記キャップと前記ピールテープと前記胴部から膜状に剥離可能なコーティング部材と
を備えることを特徴とする押ボタン式子機。
【請求項２】
前記胴部の外面に沿って溝が設けられ、
前記ピールテープが前記溝に嵌められることを特徴とする請求項１に記載の押ボタン式子機。
【請求項３】
前記溝は、前記キャップを取り付ける部分の縁から前記胴部に沿って前記押ボタンから離れる方向に延びることを特徴とする請求項２に記載の押ボタン式子機。
【請求項４】
前記コーティング部材は、前記胴部から延びて前記ナースコール装置に接続されるコードの前記胴部側基部まで覆うことを特徴とする請求項１に記載の押ボタン式子機。
【請求項５】
前記コーティング部材が前記ピールテープの先端まで覆うことを特徴とする請求項１に記載の押ボタン式子機。
【発明の詳細な説明】
【技術分野】
【０００１】
本発明は、ナースコール装置に接続される押しボタン式子機であって、衛生管理対策が施された押ボタン式子機に関する。
【背景技術】
【０００２】
被看護者が看護者を呼び出す場合に使用されるナースコール装置の子機として、押ボタン式子機がある。一般に押ボタン式子機は、被看護者等が素手で握って操作する。１人の被看護者に対して、１つの押ボタン式子機が用意される。押ボタン式子機は、使用されることによって汚れ、雑菌がつくので、定期的な清拭により洗浄が行なわれるとともに、利用者が変わる場合、衛生面の管理上、消毒や滅菌処理が行なわれる。また、清拭性を考慮して、凹凸の少ない滑らかな外形を有しているものがある。
【０００３】
不特定多数の人が直に触れるものとして、店頭に並べられる眼鏡フレーム等がある。購入希望者は、これらの眼鏡フレームを仮装用し、見栄えや装用感の気に入ったものを購入する。仮装用されることによって汗や皮脂または化粧品などで眼鏡フレームが汚れると、衛生面で購入希望者に不快感を与える。そこで、眼鏡フレームのつるやパッド部などに液状のコーティング溶液を塗布し、乾燥硬化させてコーティング部材の被膜を形成し、保護する方法がある。（例えば、特許文献１参照。）。
【特許文献１】特開平７−２８７１９９号公報
【発明の開示】
【発明が解決しようとする課題】
【０００４】
眼鏡フレームの場合、購入された後、コーティング部材は、剥離除去される。眼鏡フレームは、個人使用されるため、再びコーティング部材を塗布する必要がない。また、これに類して、ナースコール装置の押ボタン式子機にもコーティング部材を塗布することで衛生管理することを考えることができる。
【０００５】
しかしながら、押ボタンなどの作動部では、繰り返し操作されることでコーティング部材に亀裂が入る可能性があり、万全とは言い難い。また、コーティング溶液を再度塗布する際に、押ボタンの隙間からコーティング溶液が内部に入り込むようなことがあると、押ボタン式子機の動作不良にもつながるため、採用することが難しい。
【０００６】
そこで、本発明は、押ボタンの操作性を損なうことなく、雑菌や汚れから保護するコーティング部材を施すことのできるナースコール装置の押ボタン式子機を提供することを目的とする。
【課題を解決するための手段】
【０００７】
本発明に係る押ボタン式子機は、被看護者が看護者を呼び出す場合に使用されるナースコール装置に接続されることを前提とする。そして、被看護者が握る胴部に設けられる押ボタンと、押ボタンを覆って胴部との間が密封された状態で押ボタンを操作できる柔軟性を有するキャップと、キャップの縁から延びるピールテープと、キャップを胴部に取り付けてピールテープを胴部に沿わせた状態で胴部とキャップとピールテープとを覆い、かつ、胴部とキャップとピールテープとから膜状に剥離可能なコーティング部材とを備える。
【０００８】
また、ピールテープが簡単に捲れてこないようにするために、胴部の外面に沿って溝を設け、ピールテープを溝に嵌める。ピールテープを引っ張りやすくするために、溝は、キャップを取り付ける部分の縁から胴部に沿って押ボタンから離れる方向に延びる。洗浄及び消毒作業を簡単にするために、コーティング部材は、ナースコール装置に接続されるべく胴部から延びるコードの基部まで覆う。わずかな隙間も残さず完全に密閉するために、コーティング部材でピールテープの先端まで覆う。
【発明の効果】
【０００９】
本発明の押しボタン式子機によれば、押ボタンが柔軟なキャップで覆われているので、コーティング部材を塗布する場合に押ボタンと胴部との隙間から押ボタン式子機の中にコーディング部材が入り込むことがない。したがって、押ボタンの操作性を損なうこと無く、雑菌や汚れから保護するコーティング部材を施すことができる。また、キャップの縁からピールテープが延びているので、このピールテープを引っ張ることで、容易にコーティング部材を引き裂き、剥離することができる。利用者が替わるたびに、コーティング材を剥して再度コーティングし直すことで、洗浄及び消毒にかかる手間を簡単にすることができる。
【発明を実施するための最良の形態】
【００１０】
本発明に係る一実施形態の押ボタン式子機１について、図１から図３を参照して説明する。図１に示す押ボタン式子機１は、被看護者（利用者）が看護者を呼び出すために使用されるナースコール装置に接続される子機の一形態である。この押ボタン式子機１は、胴部２と押ボタン３とキャップ４とピールテープ５と溝６とコード７を備え、コーティング部材８で覆われている。
【００１１】
胴部２は、利用者が手を軽く握った場合に手の平に納まる程度の大きさで、利用者が握り易いように、かつ、清拭性を考慮して、滑らかな外形を有している。押ボタン３は、胴部２の一部から露出しており、ちょうど利用者が胴部２を把持した場合に親指で押しやすい位置に設けられている。キャップ４は、押ボタン３を覆うドーム型に形成され、縁４ａが胴部２と隙間なく密着する。この場合、キャップ４を胴部２へ装着しやすくするために、押ボタン３の周りに段差を設け、キャップ４の縁４ａにこの段差に係合する凸部を設けると良い。キャップ４は、胴部２に装着した状態で、押ボタン３を操作できる程度に柔軟性を有したゴム状の部材で作られる。キャップ４の具体的な材質として、ゴム、シリコーン合成樹脂エラストマ、ウレタン合成樹脂エラストマ、ラテックスなどを使用することができる。
【００１２】
ピールテープ５は、キャップ４の縁４ａから一体に延びている。溝６は、ピールテープ５の設けられた位置に対応する部分から胴部２に沿って押ボタンから離れる方向に延びている。ピールテープ５と溝６とは、互いに嵌合する形状に設けられている。また、ピールテープ５は、溝６に嵌めた状態で、先端５ａが溝６よりも突出するように設けられている。
【００１３】
ナースコール装置と接続されるためのコード７は、押ボタン式子機１を利用者が把持した状態で、小指の側から垂れ下がる。胴部２につながるコード７の基部７ａは、胴部２の外表面と段差および隙間なくなだらかに形成されている。
【００１４】
コーティング部材８は、キャップ４を胴部２に取付け、ピールテープ５を溝６に嵌合させた状態で、キャップ４と胴部２とピールテープ５とを覆うように設けられる。コーティング部材８は、胴部２よりもコード７の基部７ａに被さるように設ける。また、ピールテープ５の先端５ａをも完全に覆うようにコーティング部材８を設けると、押ボタン式子機１に液状のものがかかってもピールテープ５と溝６の隙間を毛細管現象によって内部に浸透することがない。コーティング部材８は、液状のコーティング部材（コーティング溶液）をスプレー、はけ塗り、あるいは、浸漬によって塗布し、膜状に設けられる。気泡を巻き込まずにかつ簡単に塗布できる点では、スプレーで塗布すると良い。また、コーティング部材８を飛散させない点では、はけ塗りや浸漬で塗布すると良い。浸漬によって塗布する場合、コーティング溶液の粘性や引き上げ速度などを調整することで容易に膜厚を変えることができ、また、他の方法に比べて一度によりぶ厚い膜厚を均質に形成しやすい。
【００１５】
なお、コーティング部材８は、胴部２、キャップ４、ピールテープ５、およびコード７に対して親和性が低く柔軟性のある部材を選定すると、あとで膜状に綺麗に剥離することができる。また、コーティング部材８を剥しやすくするために、予め剥離剤を塗布しておいても良い。コーティング溶液の揮発成分には、胴部２、キャップ４、ピールテープ５およびコード７を溶融しないものを用いることが好ましい。
【００１６】
本実施形態では、胴部２に溝６が設けられてこの溝６にピールテープ５を嵌合させているが、胴部２に凸条を設け、この凸条を挟むようにピールテープ５を設けても良い。また、溝６や凸条を設ける代わりに、ピールテープ５を胴部２の外表面となだらかに連続するへら状に設けて胴部２に沿わせるだけでもよい。
【００１７】
コーティング部材８は、ポリビニル系、シリコーン系、ポリウレタン系、合成ゴム系、天然ゴム（ラテックス）系など、押ボタン３を操作するときにキャップ４に追従して伸び縮みするものが好ましい。コーティング部材８の色は、押ボタン３の位置がわかるように無色透明、あるいは半透明であることが好ましいが、コーティング部材８が破れたり孔が開いたりしていないことや汚れていないことが直に分かるように、胴部２やキャップ４と異なる色に着色しても良い。なお、以上例挙したものの他に、袋状に形成された熱収縮性の部材を胴部２、キャップ４、ピールテープ５の全体を覆うように被せ、熱を加えて密着させても良い。
【００１８】
以上のように構成された押ボタン式子機１は、コーティング部材８によって外表面が一続きにかつ滑らかに覆われているので、エタノール、過酸化水素水（オキシドール）、クレゾールなどの消毒液で外表面を定期的に清拭することで、押ボタン式子機１を清浄に保ち易い。
【００１９】
また、利用者となる被看護者が替わる場合や、汚れが著しい場合は、外表面をよく清拭した後、ピールテープ５を引っ張り、図３に示すようにコーティング部材８を裂く。コーティング部材８の裂けたところから、コーティング部材８を胴部から剥し、除去する。コーティング部材８の剥離性が充分に良ければ、ピールテープ５を引っ張りそのままキャップ４も取外すことで、コーティング部材８も剥がれることもある。
【００２０】
キャップ４は、コーティング部材８を取除いた後、胴部２に装着し直す。また、ピールテープ５も溝６に再度嵌め込む。そして、コーティング部材８をスプレー、はけ塗り、浸漬などによって塗布する。
【００２１】
以上のように、押ボタン式子機１を清拭し、コーティング部材８を交換することで、押ボタン式子機１を清潔に保つとともに、利用者が替わる場合に行なう洗浄・消毒の作業を容易にする。つまり、押ボタン式子機１は、簡単な手順で容易に衛生管理することができる。また、キャップ４を備えるので、コーティング部材８を形成するために液状のコーティング溶液を塗布しても、押ボタン３と胴部２の隙間から内部にコーティング溶液が染み込み、押ボタン式子機１の操作性を阻害する心配がない。
【図面の簡単な説明】
【００２２】
【図１】本発明に係る第１の実施形態の押ボタン式子機を示す斜視図。
【図２】図１の押ボタン式子機のキャップを外した状態を示す分解斜視図。
【図３】図１の押ボタン式子機のコーティング部材を剥す状況を示す斜視図。
【符号の説明】
【００２３】
１…押ボタン式子機、２…胴部、３…押ボタン、４…キャップ、４ａ…縁、５…ピールテープ、５ａ…先端、６…溝、７…コード、７ａ…基部、８…コーティング部材。
【図１】
2005085535.tif 000003
【図２】
2005085535.tif 000004
【図３】
2005085535.tif 000005